(57)【特許請求の範囲】
【請求項１】
洗浄水により便器を洗浄して汚物を排出する水洗大便器装置であって、
汚物を受けるボウル部を備えた便器本体部と、
この便器本体部上の後方側に設けられて上記便器本体部に供給する洗浄水を貯水する貯水タンク部と、
この貯水タンク部内に設けられ、上下動することにより上記貯水タンク部の排水口を開閉する弁体を備えた直動式の排水弁装置部と、
この排水弁装置部を駆動して上記弁体の開閉動作を行う駆動ユニット部と、を有し、
この駆動ユニット部は、上記排水弁装置部を電動駆動する電動駆動部を備えた駆動ユニット本体部と、上記排水弁装置部と上記駆動ユニット本体部とを接続して上記電動駆動部の駆動により上記弁体の開閉動作を操作する細長状の操作部材と、を備え、
上記便器本体部の背面側上方且つ上記貯水タンク部の底部外側近傍には、上記駆動ユニット本体部が取り付けられる取付部が設けられ、上記駆動ユニット本体部は、上記取付部に取り付けられた状態で上記操作部材の全長のたるみが抑制されるように上記排水弁装置部の鉛直方向下方又はその近傍に配置されていることを特徴とする水洗大便器装置。
【請求項２】
更に、上記便器本体部又は上記貯水タンク部の種類に応じて上記駆動ユニット本体部を上記操作部材の全長のたるみが抑制されるような姿勢で上記便器本体部の取付部に固定する固定部材を有する請求項１記載の水洗大便器装置。
【請求項３】
上記貯水タンク部は、上方が開口し且つその内部に上記排水弁装置部が設けられて洗浄水が貯水される貯水部と、この貯水部の上端に配置された蓋体と、を備え、上記貯水部は、上記排水弁装置部の後方側に隣接して後壁部を形成しており、上記貯水部内の止水水位よりも上方の上記後壁部又は上記蓋体には、上記操作部材が上記貯水タンク部の内外に挿通可能な穴又は溝が形成されている請求項１又は２に記載の水洗大便器装置。
【請求項４】
上記操作部材は、上記貯水部の後壁部の挿通可能な穴又は溝を通過した後に上記駆動ユニット本体部に接続される部分が上記駆動ユニット本体部に対してほぼ垂直に接続されている請求項３に記載の水洗大便器装置。
【請求項５】
上記操作部材は、一端が上記排水弁装置部に接続される第１の操作部材と、一端が上記駆動ユニット本体部に接続される第２の操作部材と、を備え、上記駆動ユニット部は、更に、上記第１の操作部材及び上記第２の操作部材のそれぞれの長さを使用状況に応じて調節した状態で上記第１の操作部材の他端と上記第２の操作部材の他端とを接続する接続手段を備えている請求項１乃至４の何れか１項に記載の水洗大便器装置。
【請求項６】
上記操作部材は、一端が上記排水弁装置部に固定されて他端が上記駆動ユニット本体部に固定されるチューブ部と、このチューブ部に挿入されて一端が上記電動駆動部に接続されると共に他端が上記弁体に接続されて上記電動駆動部の駆動により上記チューブ部に対して摺動するワイヤ部と、を備えている請求項１乃至５の何れか１項に記載の水洗大便器装置。
【請求項７】
上記駆動ユニット本体部の電動駆動部は、電動駆動源と、この電動駆動源の駆動により回転する回転機構部を備え、上記操作部材のワイヤ部は、上記電動駆動部の駆動時に上記回転機構部の回転接線方向に移動して上記弁体を開閉可能に一端が上記回転機構部に接続されている請求項６記載の水洗大便器装置。
【請求項８】
上記貯水タンク部は、上記便器本体部上の後方側に一体的に形成されている請求項１乃至７の何れか１項に記載の水洗大便器装置。
【請求項９】
上記貯水タンク部は、その上下方向の縦幅寸法が左右方向の横幅寸法に対して短くなるように設定されている請求項１乃至８の何れか１項に記載の水洗大便器装置。
【請求項１０】
洗浄水により便器を洗浄して汚物を排出する水洗大便器装置用の駆動ユニットであって、
汚物を受けるボウル部を備えた便器本体部と、この便器本体部上の後方側に設けられて上記便器本体部に供給する洗浄水を貯水する貯水タンク部と、この貯水タンク部内に設けられ、上下動することにより上記貯水タンク部の排水口を開閉する弁体を備えた直動式の排水弁装置部と、を備えた水洗大便器装置に取り付けられる駆動ユニット本体部と、
この駆動ユニット本体部に設けられて上記排水弁装置部を電動駆動する電動駆動部と、  上記排水弁装置部と上記駆動ユニット本体部とを接続して上記電動駆動部の駆動により上記弁体の開閉動作を操作する細長状の操作部材と、を有し、
上記便器本体部の背面側上方且つ上記貯水タンク部の底部外側近傍には、上記駆動ユニット本体部が取り付けられる取付部が設けられ、上記駆動ユニット本体部は、上記取付部に取り付けられた状態で上記操作部材の全長のたるみが抑制されるように上記排水弁装置部の鉛直方向下方又はその近傍に配置されていることを特徴とする水洗大便器装置用の駆動ユニット。
【請求項１１】
更に、上記便器本体部又は上記貯水タンク部の種類に応じて上記駆動ユニット本体部を上記操作部材の全長のたるみが抑制されるような姿勢で上記便器本体部の取付部に固定する固定部材を有する請求項１０記載の水洗大便器装置用の駆動ユニット。
【請求項１２】
上記操作部材は、一端が上記排水弁装置部に接続される第１の操作部材と、一端が上記駆動ユニット本体部に接続される第２の操作部材と、を備え、上記駆動ユニットは、更に、上記第１の操作部材及び上記第２の操作部材のそれぞれの長さを使用状況に応じて調節した状態で上記第１の操作部材の他端と上記第２の操作部材の他端とを接続する接続手段を有する請求項１０又は１１に記載の水洗大便器装置用の駆動ユニット。
【請求項１３】
上記操作部材は、一端が上記排水弁装置部に固定されて他端が上記駆動ユニット本体部に固定されるチューブ部と、このチューブ部に挿入されて一端が上記電動駆動部に接続されると共に他端が上記弁体に接続されて上記電動駆動部の駆動により上記チューブ部に対して摺動するワイヤ部と、を備えている請求項１０乃至１２の何れか１項に記載の水洗大便器装置用の駆動ユニット。
【発明の詳細な説明】
【技術分野】
【０００１】
本発明は、水洗大便器装置、及び、この水洗大便器装置用の駆動ユニットに係り、特に、洗浄水により便器を洗浄して汚物を排出する水洗大便器装置、及び、この水洗大便器装置用の駆動ユニットに関する。
【背景技術】
【０００２】
従来から、洗浄水により便器を洗浄して汚物を排出する水洗大便器装置として、例えば、特許文献１に記載されているように、便器本体部に供給する洗浄水を貯水する貯水タンク部の排水口に対して排水弁体が上下動することにより排水口を開閉する、いわゆる直動式の排水弁装置を備えているものが知られている。
このような特許文献１に記載されている従来の水洗大便器装置においては、便器の使用者を検知したセンサ等からの信号に基づいて排水弁装置を電気的に駆動する自動洗浄用の駆動ユニットを貯水タンク部内に備えており、自動洗浄用の駆動ユニットが駆動すると、排水弁体が所定の引き上げ量だけ上昇し、排水口が所定時間開放されるようになっている。そして、貯水タンク部から便器本体部に洗浄水が供給された後、排水弁体が引き上げられた状態が解除され、排水口が排水弁体によって閉止されるようになっている。
【０００３】
一方、近年においては、便器のデザインの多様化に伴って、便器洗浄用の洗浄水を貯水する貯水タンク部が便器本体部上の後方側に一体的に陶器で形成された、いわゆる、ワンピース型の水洗大便器のニーズも高まっている。
このようなワンピース型の水洗大便器においては、上下方向の設置スペースを抑制すると共に便器の外観や美観等の意匠性を確保するために、貯水タンク部の上下方向の縦幅寸法が左右方向の横幅寸法に対して短くなるように設定されている、いわゆる、ローシルエットタイプの貯水タンク部の形態が採用される場合も多く、貯水タンク部自体の大きさの小型化への要請も高まっている。
【先行技術文献】
【特許文献】
【０００４】
【特許文献１】中国登録実用新案第２０３０４９７４０号明細書
【発明の概要】
【発明が解決しようとする課題】
【０００５】
しかしながら、上述したワンピース型の水洗大便器でローシルエットタイプの貯水タンク部においては、その上下方向の縦幅寸法が左右方向の横幅寸法に対して短く、特に、高さ方向のスペースが制限されることに加えて、貯水タンク部内に配置されている給水装置や排水弁装置等の複数の関連装置が多くのスペースを要するため、貯水タンク部を小型化する程、その分、内部スペースも相当制限されることになる。
したがって、このような貯水タンク部の狭い内部スペースの都合上、直動式の排水弁装置を駆動するための自動洗浄用の駆動ユニットについては、貯水タンク部内に設置することが難しいため、貯水タンク部の外部に配置しなければならない。また、貯水タンク部の外部に配置すると、この自動洗浄用の駆動ユニットを貯水タンク部の外部の便器外観から見える箇所に配置した場合には、便器の美観性も損なわれるという問題もある。
【０００６】
また、このような自動洗浄用の駆動ユニットを貯水タンク部の外部に設置する場合には、特に、直動式の排水弁装置の排水弁体を引き上げるための簡易的な手段として、例えば、一端が駆動ユニットに固定されて他端が排水弁装置の一部に固定されているチューブと、このチューブ内に摺動可能に挿入されると共に一端が駆動ユニットの機構部に接続されて他端が排水弁体に接続されている操作用のワイヤを採用することにより、駆動ユニットの電動駆動によるアクチュエータの回転量が操作用のワイヤ部材を巻き上げる巻き上げ量に変換されると共に、排水弁体が操作用のワイヤ部材によって引き上げられる引き上げ量に変換されるようにすることも想定される。
しかしながら、自動洗浄用の駆動ユニットを貯水タンク部の外部に設置した場合には、自動洗浄用の駆動ユニットを貯水タンク部の内部に設置した場合に比べて、排水弁装置と駆動ユニットとの間の経路長さも長くなるため、その分、チューブ及びワイヤの長さも長くなる。したがって、特に、直動式の排水弁装置の場合には、排水弁体が上下動するときのストローク量や排水操作開始時にワイヤによって引き上げられる排水弁体の引き上げ量等の操作量が、排水弁装置と駆動ユニットとの間の経路長さやチューブ及びワイヤの長さに比べて相当小さくなるため、排水弁装置と駆動ユニットとの間の経路長さやチューブ及びワイヤの長さが長くなる程、これらの長さの公差やばらつきや、チューブとワイヤとの間の摺動抵抗等が、排水弁体の操作量により大きく影響することになり、排水弁体の操作量がばらつき、排水弁体の開閉動作に不具合が生じ、適切に動作を行うことが難しくなるという問題がある。
【０００７】
そこで、本発明は、上述した従来技術の問題を解決するためになされたものであり、排水弁装置部の弁体の開閉操作の操作量のばらつきを抑制し、弁体の開閉動作を適切に行うことができる水洗大便器装置、及び、この水洗大便器装置用の駆動ユニットを提供することを目的としている。
【課題を解決するための手段】
【０００８】
上記の目的を達成するために、本発明の第１の発明は、洗浄水により便器を洗浄して汚物を排出する水洗大便器装置であって、汚物を受けるボウル部を備えた便器本体部と、この便器本体部上の後方側に設けられて上記便器本体部に供給する洗浄水を貯水する貯水タンク部と、この貯水タンク部内に設けられ、上下動することにより上記貯水タンク部の排水口を開閉する弁体を備えた直動式の排水弁装置部と、この排水弁装置部を駆動して上記弁体の開閉動作を行う駆動ユニット部と、を有し、この駆動ユニット部は、上記排水弁装置部を電動駆動する電動駆動部を備えた駆動ユニット本体部と、上記排水弁装置部と上記駆動ユニット本体部とを接続して上記電動駆動部の駆動により上記弁体の開閉動作を操作する細長状の操作部材と、を備え、上記便器本体部の背面側上方且つ上記貯水タンク部の底部外側近傍には、上記駆動ユニット本体部が取り付けられる取付部が設けられ、上記駆動ユニット本体部は、上記取付部に取り付けられた状態で上記操作部材の全長のたるみが抑制されるように上記排水弁装置部の鉛直方向下方又はその近傍に配置されていることを特徴としている。
このように構成された本発明の第１の発明においては、便器本体部上の後方側に設けられた貯水タンク部内の排水弁装置部を駆動する駆動ユニット部について、その駆動ユニット本体部を便器本体部の背面側上方且つ貯水タンク部の底部外側近傍に設けられた取付部に取り付けた状態では、駆動ユニット本体部が便器本体部の背面側上方且つ貯水タンク部の底部外側近傍に配置されると共に、排水弁装置部の鉛直方向下方又はその近傍に配置されるため、駆動ユニット部の細長状の操作部材の全長のたるみを抑制することができる。
したがって、駆動ユニット部の操作部材の全長が貯水タンク部内の排水弁装置部と駆動ユニット本体部との間で長すぎることによって、操作部材が不必要に曲げられたりすることを抑制することができるため、駆動ユニット本体部の電動駆動部の駆動により操作部材が排水弁装置部の弁体の開閉動作を正確に操作することができ、その操作量のばらつきを抑制することができる。よって、排水弁装置部の弁体の開閉動作を適切に行うことができる水洗大便器装置を提供することができる。
【０００９】
本発明の第１の発明において、好ましくは、更に、上記便器本体部又は上記貯水タンク部の種類に応じて上記駆動ユニット本体部を上記操作部材の全長のたるみが抑制されるような姿勢で上記便器本体部の取付部に固定する固定部材を有する。
このように構成された本発明の第１の発明においては、便器本体部又は貯水タンク部の種類に応じて駆動ユニット本体部を操作部材の全長のたるみが抑制されるような姿勢で便器本体部の取付部に固定する固定部材を有することにより、この固定部材を介して駆動ユニット本体部を操作部材の全長のたるみが抑制されるような姿勢で便器本体部の取付部に確実に固定することができる。したがって、固定部材に固定された状態の駆動ユニット本体部の電動駆動部による駆動力を操作部材に効率よく且つ正確に伝達することができるため、排水弁装置部の弁体を排水口に対して精度よく移動させることができ、弁体の開閉動作を適切に行うことができる。
【００１０】
本発明の第１の発明において、好ましくは、上記貯水タンク部は、上方が開口し且つその内部に上記排水弁装置部が設けられて洗浄水が貯水される貯水部と、この貯水部の上端に配置された蓋体と、を備え、上記貯水部は、上記排水弁装置部の後方側に隣接して後壁部を形成しており、上記貯水部内の止水水位よりも上方の上記後壁部又は上記蓋体には、上記操作部材が上記貯水タンク部の内外に挿通可能な穴又は溝が形成されている。
このように構成された本発明の第１の発明においては、貯水タンク部が、上方が開口し且つその内部に排水弁装置部が設けられて洗浄水が貯水される貯水部と、この貯水部の上端に配置された蓋体とを備え、貯水部が排水弁装置部の後方側に隣接して後壁部を形成しており、貯水部内の止水水位よりも上方の貯水部の後壁部又は蓋体には、操作部材が貯水タンク部の内外に挿通可能な穴又は溝が形成されていることにより、排水弁装置部と駆動ユニット本体部との間の操作部材について、操作性を確保しつつ、全長のたるみを抑制することができるため、操作部材の全長が排水弁装置部と駆動ユニット本体部との間で長すぎることによって、操作部材が不必要に曲げられたりすることを抑制することができる。したがって、駆動ユニット部の電動駆動部の駆動時に操作部材が排水弁装置部の弁体の開閉動作を操作するときの操作量のばらつきを抑制することができ、弁体の開閉動作を適切に行うことができる。
【００１１】
本発明の第１の発明において、好ましくは、上記操作部材は、上記貯水部の後壁部の挿通可能な穴又は溝を通過した後に上記駆動ユニット本体部に接続される部分が上記駆動ユニット本体部に対してほぼ垂直に接続されている。
このように構成された本発明の第１の発明においては、操作部材について、貯水タンク部の貯水部の後壁部における挿通可能な穴又は溝を通過した後に駆動ユニット本体部に接続される部分が駆動ユニット本体部に対してほぼ垂直に接続されていることにより、操作部材の全長を短くすることができるため、操作部材の全長が排水弁装置部と駆動ユニット本体部との間で長すぎることによって、操作部材が不必要に曲げられたりすることを抑制することができる。したがって、駆動ユニット部の電動駆動部の駆動時に操作部材が排水弁装置部の弁体の開閉動作を操作するときの操作量のばらつきを抑制することができ、弁体の開閉動作を適切に行うことができる。
【００１２】
本発明の第１の発明において、好ましくは、上記操作部材は、一端が上記排水弁装置部に接続される第１の操作部材と、一端が上記駆動ユニット本体部に接続される第２の操作部材と、を備え、上記駆動ユニット部は、更に、上記第１の操作部材及び上記第２の操作部材のそれぞれの長さを使用状況に応じて調節した状態で上記第１の操作部材の他端と上記第２の操作部材の他端とを接続する接続手段を備えている。
このように構成された本発明においては、操作部材について、一端が排水弁装置部に接続される第１の操作部材と、一端が駆動ユニット本体部に接続される第２の操作部材とを備えており、駆動ユニット部が、更に、第１の操作部材及び第２の操作部材のそれぞれの長さを使用状況に応じて調節した状態で第１の操作部材の他端と第２の操作部材の他端とを接続する接続手段を備えていることにより、第１の操作部材と第２の接続部材の全長を使用状況に応じて適宜短くすることができるため、第１の操作部材と第２の接続部材の全長が排水弁装置部と駆動ユニット本体部との間で長すぎることによって、第１の操作部材と第２の接続部材が不必要に曲げられたりすることを抑制することができる。したがって、駆動ユニット部の電動駆動部の駆動時に操作部材が排水弁装置部の弁体の開閉動作を操作するときの操作量のばらつきを抑制することができ、弁体の開閉動作を適切に行うことができる。
【００１３】
本発明の第１の発明において、好ましくは、上記操作部材は、一端が上記排水弁装置部に固定されて他端が上記駆動ユニット本体部に固定されるチューブ部と、このチューブ部に挿入されて一端が上記電動駆動部に接続されると共に他端が上記弁体に接続されて上記電動駆動部の駆動により上記チューブ部に対して摺動するワイヤ部と、を備えている。
このように構成された本発明においては、操作部材について、一端が排水弁装置部に固定されて他端が駆動ユニット本体部に固定されるチューブ部と、このチューブ部に挿入されて一端が上記電動駆動部に接続されると共に他端が弁体に接続されて電動駆動部の駆動によりチューブ部に対して摺動するワイヤ部とを備えていることにより、操作部材のワイヤ部がチューブ部により保護されているため、ワイヤ部の耐久性を向上させることができる。また、操作部材の全長のたるみを抑制することにより、駆動ユニット部の電動駆動部が駆動して操作部材のワイヤ部がチューブ部に対して摺動した際に、チューブ部とワイヤ部との間の摺動抵抗を小さくすることができるため、操作部材のワイヤ部の摺動時に、弁体を排水口に対してより精度よく移動させることができ、弁体の開閉動作をより適切に行うことができる。
【００１４】
本発明の第１の発明において、好ましくは、上記駆動ユニット本体部の電動駆動部は、電動駆動源と、この電動駆動源の駆動により回転する回転機構部を備え、上記操作部材のワイヤ部は、上記電動駆動部の駆動時に上記回転機構部の回転接線方向に移動して上記弁体を開閉可能に一端が上記回転機構部に接続されている。
このように構成された本発明の第１の発明においては、駆動ユニット本体部の電動駆動部が、電動駆動源と、この電動駆動源の駆動により回転する回転機構部を備えており、操作部材が、電動駆動部の駆動時に回転機構部の回転接線方向に移動して排水弁装置部の弁体を開閉可能に一端が回転機構部に接続されていることにより、操作部材のワイヤ部の全長を短くすることができるため、操作部材のワイヤ部の全長が排水弁装置部と駆動ユニット本体部との間で長すぎることによって、ワイヤ部が不必要に曲げられたりすることを抑制することができる。したがって、駆動ユニット部の電動駆動部の駆動時に操作部材が排水弁装置部の弁体の開閉動作を操作するときの操作量のばらつきを抑制することができると共に、操作部材のワイヤ部がチューブ部に対して摺動した際に、チューブ部とワイヤ部との間の摺動抵抗を小さくすることができるため、操作部材のワイヤ部の摺動時に、弁体を排水口に対してより精度よく移動させることができ、弁体の開閉動作をより適切に行うことができる。
【００１５】
本発明の第１の発明において、好ましくは、上記貯水タンク部は、上記便器本体部上の後方側に一体的に形成されている。
このように構成された本発明の第１の発明においては、貯水タンク部が便器本体部上の後方側に一体的に形成されている、いわゆる、ワンピース型の水洗大便器に対しても、便器本体部が、貯水タンク部の下方に設けられて操作部材の全長のたるみが抑制されるように駆動ユニット本体部が取り付けられる取付部を備えており、駆動ユニット本体部が、この取付部に取り付けられた状態で排水弁装置部の鉛直方向下方又はその近傍に配置されているため、操作部材の全長が排水弁装置部と駆動ユニット本体部との間で長すぎることによって、操作部材が不必要に曲げられたりすることを抑制することができる。したがって、駆動ユニット部の電動駆動部の駆動時に操作部材が排水弁装置部の弁体の開閉動作を操作するときの操作量のばらつきを抑制することができ、弁体の開閉動作を適切に行うことができる。
【００１６】
本発明の第１の発明において、好ましくは、上記貯水タンク部は、その上下方向の縦幅寸法が左右方向の横幅寸法に対して短くなるように設定されている。
このように構成された本発明においては、貯水タンク部の上下方向の縦幅寸法が左右方向の横幅寸法に対して短くなるように設定されて、比較的貯水タンク部内のスペースが限られている、いわゆる、ローシルエットの貯水タンク部に対しても、便器本体部が、貯水タンク部の下方に設けられて操作部材の全長のたるみが抑制されるように駆動ユニット本体部が取り付けられる取付部を備えており、駆動ユニット本体部が、この取付部に取り付けられた状態で排水弁装置部の鉛直方向下方又はその近傍に配置されているため、操作部材の全長が排水弁装置部と駆動ユニット本体部との間で長すぎることによって、操作部材が不必要に曲げられたりすることを抑制することができる。したがって、駆動ユニット部の電動駆動部の駆動時に操作部材が排水弁装置部の弁体の開閉動作を操作するときの操作量のばらつきを抑制することができ、弁体の開閉動作を適切に行うことができる。
【００１７】
つぎに、本発明の第２の発明は、洗浄水により便器を洗浄して汚物を排出する水洗大便器装置用の駆動ユニットであって、汚物を受けるボウル部を備えた便器本体部と、この便器本体部上の後方側に設けられて上記便器本体部に供給する洗浄水を貯水する貯水タンク部と、この貯水タンク部内に設けられ、上下動することにより上記貯水タンク部の排水口を開閉する弁体を備えた直動式の排水弁装置部と、を備えた水洗大便器装置に取り付けられる駆動ユニット本体部と、この駆動ユニット本体部に設けられて上記排水弁装置部を電動駆動する電動駆動部と、上記排水弁装置部と上記駆動ユニット本体部とを接続して上記電動駆動部の駆動により上記弁体の開閉動作を操作する細長状の操作部材と、を有し、上記便器本体部の背面側上方且つ上記貯水タンク部の底部外側近傍には、上記駆動ユニット本体部が取り付けられる取付部が設けられ、上記駆動ユニット本体部は、上記取付部に取り付けられた状態で上記操作部材の全長のたるみが抑制されるように上記排水弁装置部の鉛直方向下方又はその近傍に配置されていることを特徴としている。
このように構成された本発明の第２の発明においては、水洗大便器装置の便器本体部上の後方側に設けられた貯水タンク部内の直動式の排水弁装置部を駆動する駆動ユニット本体部を便器本体部の背面側上方且つ上記貯水タンク部の底部外側近傍に設けられた取付部に取り付けた状態では、駆動ユニット本体部が水洗大便器装置の便器本体部の背面側上方且つ貯水タンク部の底部外側近傍に配置されると共に、排水弁装置部の鉛直方向下方又はその近傍に配置されるため、細長状の操作部材の全長のたるみを抑制することができる。
したがって、操作部材の全長が水洗大便器装置の貯水タンク部内の排水弁装置部と駆動ユニット本体部との間で長すぎることによって、操作部材が不必要に曲げられたりすることを抑制することができるため、電動駆動部の駆動により操作部材が排水弁装置部の弁体の開閉動作を正確に操作することができ、その操作量のばらつきを抑制することができる。よって、排水弁装置部の弁体の開閉動作を適切に行うことができる水洗大便器装置用の駆動ユニットを提供することができる。
【００１８】
本発明の第２の発明において、好ましくは、更に、上記便器本体部又は上記貯水タンク部の種類に応じて上記駆動ユニット本体部を上記操作部材の全長のたるみが抑制されるような姿勢で上記便器本体部の取付部に固定する固定部材を有する。
このように構成された本発明の第２の発明においては、便器本体部又は貯水タンクの種類に応じて駆動ユニット本体部を操作部材の全長のたるみが抑制されるような姿勢で便器本体部の取付部に固定する固定部材を有することにより、この固定部材を介して駆動ユニット本体部を操作部材の全長のたるみが抑制されるような姿勢で便器本体部の取付部に確実に固定することができる。したがって、固定部材に固定された状態の駆動ユニット本体部の電動駆動部による駆動力を操作部材に効率よく正確に伝達することができるため、排水弁装置部の弁体を排水口に対して精度よく移動させることができ、弁体の開閉動作を適切に行うことができる。
【００１９】
本発明の第２の発明において、好ましくは、上記操作部材は、一端が上記排水弁装置部に接続される第１の操作部材と、一端が上記駆動ユニット本体部に接続される第２の操作部材と、を備え、上記駆動ユニットは、更に、上記第１の操作部材及び上記第２の操作部材のそれぞれの長さを使用状況に応じて調節した状態で上記第１の操作部材の他端と上記第２の操作部材の他端とを接続する接続手段を有する。
このように構成された本発明の第２の発明においては、操作部材について、一端が排水弁装置部に接続される第１の操作部材と、一端が駆動ユニット本体部に接続される第２の操作部材とを備えており、駆動ユニットが、更に、第１の操作部材及び第２の操作部材のそれぞれの長さを使用状況に応じて調節した状態で第１の操作部材の他端と第２の操作部材の他端とを接続する接続手段を有することにより、第１の操作部材と第２の接続部材の全長を使用状況に応じて適宜短くすることができるため、第１の操作部材と第２の接続部材の全長が排水弁装置部と駆動ユニット本体部との間で長すぎることによって、第１の操作部材と第２の接続部材が不必要に曲げられたりすることを抑制することができる。したがって、電動駆動部の駆動時に操作部材が排水弁装置部の弁体の開閉動作を操作するときの操作量のばらつきを抑制することができ、弁体の開閉動作を適切に行うことができる。
【００２０】
本発明の第２の発明において、好ましくは、上記操作部材は、一端が上記排水弁装置部に固定されて他端が上記駆動ユニット本体部に固定されるチューブ部と、このチューブ部に挿入されて一端が上記電動駆動部に接続されると共に他端が上記弁体に接続されて上記電動駆動部の駆動により上記チューブ部に対して摺動するワイヤ部と、を備えている。
このように構成された本発明の第２の発明においては、操作部材について、一端が排水弁装置部に固定されて他端が駆動ユニット本体部に固定されるチューブ部と、このチューブ部に挿入されて一端が上記電動駆動部に接続されると共に他端が弁体に接続されて電動駆動部の駆動によりチューブ部に対して摺動するワイヤ部とを備えていることにより、操作部材のワイヤ部がチューブ部により保護されているため、ワイヤ部の耐久性を向上させることができる。また、操作部材の全長のたるみが抑制されることにより、電動駆動部が駆動して操作部材のワイヤ部がチューブ部に対して摺動した際に、チューブ部とワイヤ部との間の摺動抵抗を小さくすることができるため、操作部材のワイヤ部の摺動時に、弁体を排水口に対してより精度よく移動させることができ、弁体の開閉動作をより適切に行うことができる。
【発明の効果】
【００２１】
本発明の水洗大便器装置、及び、この水洗大便器装置用の駆動ユニットによれば、排水弁装置部の弁体の開閉操作の操作量のばらつきを抑制し、弁体の開閉動作を適切に行うことができる。
【図面の簡単な説明】
【００２２】
【図１】本発明の第１実施形態による水洗大便器装置を示す概略斜視図である。
【図２】本発明の第１実施形態による水洗大便器装置を斜め後方から見た概略斜視図である。
【図３】本発明の第１実施形態による水洗大便器装置を示す背面図である。
【図４】図３のＩＶ−ＩＶ線に沿って見た断面図である。
【図５】本発明の第１実施形態による水洗大便器装置の後方部分を拡大した部分拡大平面図である。
【図６】本発明の第１実施形態による水洗大便器装置の貯水タンク部において、蓋体を取り外した状態の内部構造について斜め前方且つ上方から見た斜視図である。
【図７】本発明の第１実施形態による水洗大便器装置の排水弁装置部の側面断面図である。
【図８】本発明の第１実施形態による水洗大便器装置の駆動ユニットの中継ボックスを示す斜視図である。
【図９】本発明の第１実施形態による水洗大便器装置の駆動ユニットの駆動ユニット本体部が固定部材に固定された状態を示す斜視図である。
【図１０】本発明の第１実施形態による水洗大便器装置の駆動ユニットのギアユニットにおける内部構造の概略図である。
【図１１】本発明の第１実施形態による水洗大便器装置の駆動ユニットを固定するための固定部材を示す斜視図である。
【図１２】本発明の第１実施形態による水洗大便器装置の駆動ユニットの分解斜視図である。
【図１３】本発明の第１実施形態による水洗大便器装置の駆動ユニットのアクチュエータの内部構造を示す斜視図である。
【図１４】本発明の第２実施形態による水洗大便器装置の便器本体部における駆動ユニット取付部、及び、この駆動ユニット取付部に駆動ユニットの本体部を固定するための固定部材の部分を拡大した部分拡大斜視図である。
【図１５】本発明の第２実施形態による水洗大便器装置において、便器本体部の駆動ユニット取付部に駆動ユニットの駆動ユニット本体部が固定部材を介して固定された状態を示す部分拡大斜視図である。
【図１６】本発明の第２実施形態による水洗大便器装置の駆動ユニットの駆動ユニット本体部が固定部材に固定された状態を示す斜視図である。
【発明を実施するための形態】
【００２３】
以下、添付図面を参照して、本発明の第１実施形態による水洗大便器装置について説明する。
まず、図１〜図６により、本発明の第１実施形態による水洗大便器装置の基本構造について説明する。
図１は、本発明の第１実施形態による水洗大便器装置を示す概略斜視図であり、図２は、本発明の第１実施形態による水洗大便器装置を斜め後方から見た概略斜視図である。
また、図３は、本発明の第１実施形態による水洗大便器装置を示す背面図であり、図４は、図３のＩＶ−ＩＶ線に沿って見た断面図である。
さらに、図５は、本発明の第１実施形態による水洗大便器装置の後方部分を拡大した部分拡大平面図であり、図６は、本発明の第１実施形態による水洗大便器装置の貯水タンク部において、蓋体を取り外した状態の内部構造について斜め前方且つ上方から見た斜視図である。
【００２４】
まず、図１〜図３に示すように、本発明の第１実施形態による水洗大便器装置１は、洗浄水により便器を洗浄して汚物を排出する陶器製の水洗大便器２を備えている。この水洗大便器２は、汚物を受けるボウル部４ａを備えた便器本体部４と、この便器本体部４上の後方側に設けられて便器本体部４のボウル部４ａに供給する洗浄水を貯水する貯水タンク部６とを有しており、便器本体部４と貯水タンク部６とが一体に形成された、いわゆる、ワンピース型の水洗大便器である。
また、貯水タンク部６は、その上下方向の縦幅寸法Ｌ１が左右方向の横幅寸法Ｌ２に対して短くなるように設定されている、いわゆる、ローシルエットタイプの貯水タンク部を形成している。
なお、本実施形態の水洗大便器装置１の水洗大便器２においては、例として、便器本体部４と貯水タンク部６とが陶器で一体に形成された、いわゆる、陶器製のワンピース型の水洗大便器の形態について説明するが、このような形態に限定されず、便器本体部４と貯水タンク部６とが別体に形成されたワンピース以外の水洗大便器の形態についても適用可能である。また、水洗大便器の材質についても、陶器で成形されたものに限られず、樹脂で成形されたものであってもよい。
また、貯水タンク部６についても、ローシルエットタイプ以外の貯水タンク部の形態であってもよい。
【００２５】
つぎに、図２〜図６に示すように、水洗大便器装置１は、貯水タンク部６内に設けられて貯水タンク部６を正面側から見て左右方向の中心に配置された排水弁装置８を備えている。この排水弁装置８は、貯水タンク部６の底部６ａにおいて正面側から見て左右方向の中心に上下方向に貫くように形成された排水口１０を開閉する排水弁体１２を備えており、排水弁体１２が上下動することにより排水口１０を開閉する、いわゆる直動式の排水弁装置である。
また、水洗大便器装置１は、この排水弁装置８を駆動して排水弁体１２の開閉動作を自動的に行う自動洗浄用の駆動ユニット１４を水洗大便器装置用の駆動ユニットとして備えている。この駆動ユニット１４は、排水弁装置８を電動駆動するモータ（図示せず）等を内蔵する電動駆動部であるアクチュエータ１６を備えた駆動ユニット本体部１８と、排水弁装置８と駆動ユニット本体部１８とを接続してアクチュエータ１６の駆動により排水弁体１２の開閉動作を操作する細長状の電動操作用の操作部材２０を備えている。
【００２６】
つぎに、図２〜図４に示すように、便器本体部４の背面側、より厳密には、便器本体部４のボウル部４ａよりも後方側部分には、左右両側に間隔を置いて形成された一対の脚部４ｂ，４ｃが設けられており、これらの脚部４ｂ，４ｃにより概ね袴形状に形成されている。
また、これらの脚部４ｂ，４ｃ同士の内側には、その上方がほぼアーチ状に突出するように空洞部Ｃが形成されており、この空洞部Ｃの天井部４ｄには、駆動ユニット本体部１８が取り付けられる取付部２２が設けられている。より厳密に説明すると、駆動ユニット本体部１８は、詳細は後述する固定部材２４（図３参照）を介して取付部２２に固定されている。
さらに、駆動ユニット本体部１８は、便器本体部４の取付部２２に取り付けられた状態では、操作部材２０の全長のたるみが抑制されるように、排水弁装置８の鉛直方向下方の近傍に配置されるようになっており、駆動ユニット本体部１８の長手方向が便器本体部４の前後方向に延びるように配置されている。
また、図３に示すように、駆動ユニット本体部１８は、便器本体部４の取付部２２に取り付けられた状態では、便器本体部４のボウル部４ａの底部に接続されている排水トラップ管路部４ｅよりも上方に位置していると共に、この排水トラップ管路部４ｅの下流側端部（後端部）と便器本体部４の下方の床下側の排出管（図示せず）とを接続するように空洞部Ｃ内に配置される排水ソケット２４よりも上方に位置しており、駆動ユニット本体部１８と排水ソケット２４とが互いに干渉しないようになっている。
【００２７】
なお、本実施形態では、駆動ユニット本体部１８について、便器本体部４の取付部２２に取り付けられた状態で、操作部材２０の全長のたるみが抑制されるように、排水弁装置８の鉛直方向下方の近傍に配置されるようになっている形態について説明するが、このような形態に限られず、他の形態についても適用可能である。例えば、駆動ユニット本体部１８については、排水弁装置８の鉛直方向下方（真下）に配置されるような形態であってもよく、取付部２２が排水弁装置８の鉛直方向下方（真下）に位置しなくても、駆動ユニット本体部１８の少なくとも一部分が排水弁装置８の鉛直方向下方の近傍に位置すると共に、操作部材２０について、操作性が確保される状態で可能な限り短い長さに設定されていればよい。
【００２８】
つぎに、図１に示すように、便器本体部４の上面の前後方向のほぼ中央から前方までの領域には、便座２８が配置され、この便座２８の後方且つ貯水タンク部６の前方には、用便後の使用者の局部を温水で洗浄する局部洗浄装置３０の関連機器や詳細は後述する駆動ユニット１４のアクチュエータ１６等の作動を制御する制御装置３２が設けられている。この制御装置３２は、水洗大便器装置１の周囲の外部電源に接続されている。
また、制御装置３２の後方の貯水タンク部６には、便器本体部４のボウル部４ａの洗浄を行う際に使用される洗浄水を貯水して便器本体部４に供給する洗浄水タンク装置３４が設けられている。さらに、貯水タンク部６の上方には、蓋体６ｂが覆うように取り付けられている。
【００２９】
なお、本実施形態の水洗大便器装置１においては、洗浄水タンク装置３４から便器本体部４に供給された洗浄水が便器本体部４のボウル部４ａの高さ方向の落差により汚物を排出する、いわゆる、洗い落とし式の水洗大便器に適用してもよいし、サイホン作用を利用してボウル部４ａ内の汚物を吸い込んで排水トラップ管路部４ｅから一気に外部に排出する、いわゆる、サイホン式の水洗大便器等、種々の形態の水洗大便器に適用可能である。
【００３０】
つぎに、図６に示すように、洗浄水タンク装置３４は、貯水タンク部６内に洗浄水を供給する給水装置３６と、貯水タンク部６内の左右方向の中心に配置されて排水口１０を開閉する排水弁体１２を備えた排水弁装置８と、この排水弁装置８を駆動して排水弁体１２の開閉動作を自動的に行う自動洗浄用の駆動ユニット１４と、貯水タンク部６の側部に設けられて排水弁装置８の排水弁体１２の開閉動作を手動により操作可能な手動操作ユニット３８とにより構成されている。
また、駆動ユニット１４は、手動操作ユニット３８とは別体に設けられていると共に、洗浄水タンク装置３４を含む貯水タンク部６や便器本体部４に関する洗浄方式等の仕様、施工場所の給水圧等の設置環境、或いは、水洗大便器装置１の設置スペース内のレイアウト等の設置環境を含む施工状況等に応じて、洗浄水タンク装置３４を含む貯水タンク部６や便器本体部４の使用状況に応じて貯水タンク部６や便器本体部４に対して適宜着脱可能に設けられている。
なお、本実施形態では、説明を省略するが、貯水タンク部６内のタンク容量を調整する必要が生じた場合には、容量調整用のカップ（図示せず）等を貯水タンク部６内に設けてもよい。
【００３１】
つぎに、図６に示すように、給水装置３６は、外部の給水源（図示せず）に接続されて貯水タンク部６の底部６ａから上方に延びる給水管３６ａと、この給水管３６ａの上端部に取り付けられ、給水管３６ａから給水される洗浄水の貯水タンク部６内への吐水と止水を切り替える給水バルブ３６ｂと、貯水タンク部６内の水位の変動に応じて上下動して給水バルブ３６ｂによる吐水と止水を切り替えるフロート３６ｃとを備えている。
また、給水管３６ａの外周側下端部には、吐水口（図示せず）が開口し、給水バルブ３６ｂを通過した洗浄水は、吐水口（図示せず）から貯水タンク部６内に吐水されるようになっている。
【００３２】
さらに、給水装置３６においては、排水弁装置８により、貯水タンク部６内の洗浄水が便器本体部４に排水されると、洗浄水の水位が低下してフロート３６ｃが下降し、それにより給水バルブ３６ｂが開弁し、吐水口（図示せず）からの吐水が開始し、洗浄水タンク装置３４の外部の給水源（図示せず）から貯水タンク部６内への吐水が開始されるようになっている。
また、吐水が継続されて貯水タンク部６内の水位が上昇すると、フロート３６ｃが上昇し、それにより給水バルブ３６ｂが閉弁し、吐水口（図示せず）からの吐水が止水されるようになっている。これにより、貯水タンク部６内の洗浄水の水位が満水時の所定水位に維持されるようになっている。
【００３３】
再び、図１に示すように、水洗大便器装置１が設置されるトイレ室内における便器本体部４の側方の壁面には、使用者が便器本体部４の洗浄操作を指示したり、局部洗浄装置３０による局部洗浄操作を指示するための複数の操作ボタン４０ａを含む指示装置４０が取り付けられている。
さらに、制御装置３２には、便座２８に座っている使用者の存在や便器本体部４の前方に立っている使用者の存在を検知することができる人感センサ４２が設けられている。使用者が指示装置４０の所定の操作ボタン４０ａを押すことにより便器洗浄操作を指示する信号が制御装置３２に送信されるか、及び／又は、人感センサ４２が使用者を検知した信号が制御装置３２に送信されると、これらの信号を制御装置３２が受信し、駆動ユニット１４を作動させるようになっている。
なお、本実施形態では、人感センサ４２及び指示装置４０の双方を備えた形態について説明するが、いずれか一方を省略して他方のみから送信される信号に基づいて制御装置３２が駆動ユニット１４を作動させるようにしてもよい。
【００３４】
つぎに、図１、図３及び図６に示すように、手動操作ユニット３８は、回転中心軸線Ａ１を中心に回転可能な手動用回転軸４４と、この手動用回転軸４４の一端に連結されると共に貯水タンク部６の外側に配置される手動用操作レバー４６と、手動用回転軸４４の他端に連結されると共に貯水タンク部６の外側に配置されて手動用回転軸４４の回転力を伝達する回転機構ユニット４８と、この回転機構ユニット４８に一端が連結される手動操作用の操作部材５０を備えている。
なお、回転機構ユニット４８のケーシング４８ａ内には、手動用操作レバー４６の回転により手動用回転軸４４と共に回転する複数のギア（図示せず）や、これらのギア（図示せず）のうちの一部と噛み合う係合すると共に手動操作用の操作部材５０の一端が連結されるプーリ（図示せず）等の回転機構部材が内蔵されているが、これらの具体的な説明については省略する。
【００３５】
つぎに、図７は、本発明の第１実施形態による水洗大便器装置の排水弁装置部の側面断面図である。
図６及び図７に示すように、手動操作用の操作部材５０は、一端が回転機構ユニット４８のケーシング４８ａに固定されている手動操作用のチューブ５２を備えており、このチューブ５２の排水弁装置側の先端部５２ａは、排水弁装置８のケーシング８ａの上端部に固定されている。
また、手動操作用の操作部材５０は、手動操作用のチューブ５２内に摺動可能に挿入されている手動操作用のワイヤ５４を備えており、このワイヤ５４の一端が回転機構ユニット４８のケーシング４８ａ内のプーリ（図示せず）に接続されている。
一方、図７に示すように、排水弁装置８は、排水弁体１２が下端に設けられて上下方向に延びる主軸部５６と、この主軸部５６の上端部から前方且つ上方に向かってフック状に形成される手動操作用のワイヤ連結部５８と、主軸部５６の上端部から後方且つ上方に向かってフック状に形成される電動操作用のワイヤ連結部６０と、排水口１２の上端に形成される弁座６２を備えており、手動操作用のワイヤ５４の排水弁装置側の突起状の先端部５４ａは、排水弁装置８の手動操作用のワイヤ連結部５８に摺動可能に連結されている。
なお、本実施形態では、図７に示すように、排水弁装置８のハウジング８ａの内部には、排水弁体１２、主軸部５６、及び各ワイヤ連結部５８，６０以外にも、大洗浄モードと小洗浄モードのそれぞれの場合の便器洗浄が開始されるタイミングを調整するための種々の関連部材等が設けられているが、これらの関連部材については、省略しても、手動操作ユニット３８や自動洗浄用の駆動ユニット１４による軸部材５６や排水弁体１２の引き上げ機能は最低限確保することができるため、説明は省略する。
【００３６】
つぎに、図８は、本発明の第１実施形態による水洗大便器装置の駆動ユニットの中継ボックスを示す斜視図である。
図３、図４及び図６〜図８に示すように、電動操作用の操作部材２０は、一端が排水弁装置８に接続される排水弁装置側の電動操作用の操作部材２０ａと、一端が駆動ユニット本体部１８に接続される駆動ユニット本体部側の電動操作用の操作部材２０ｂを備えている。
また、駆動ユニット１４は、これらの操作部材２０ａ，２０ｂのそれぞれの長さを使用状況に応じて調節した状態で、これらの操作部材２０ａ，２０ｂのそれぞれの他端同士を接続する接続手段である概ね直方体形状の中継ボックス６４を備えている。この中継ボックス６４は、ケーシング６４ａと、このケーシング６４ａの開口端面６４ｂに開閉可能に設けられた蓋体６４ｃを備えている。
【００３７】
つぎに、図２〜図４及び図６に示すように、貯水タンク部６の上方に取り付けられる蓋体６ｂの下縁部が上方から配置される貯水タンク部６の後壁部６ｃの上縁部における左右方向のほぼ中央には、前後方向に貫くように切欠き溝６６が形成されており、駆動ユニット本体部側の電動操作用の操作部材２０ｂが貯水タンク部６の内外に挿通可能となっている。
さらに、図６に示すように、この切欠き溝６６は、洗浄水の止水水位ＷＬ１よりも上方に位置しており、中継ボックス６４は、貯水タンク部６内の切欠き溝６６の近傍に配置されている。
なお、この切欠き溝６６については、貯水タンク部６の後壁部６ｃに形成される代わりに、この後壁部６ｃに対して上下方向に対向する蓋体６ｂの下縁部に形成されてもよい。
また、本実施形態では、切欠き溝６６を採用している形態について説明するが、このような形態に限られず、切欠き溝６６の代わりに、洗浄水の止水水位ＷＬ１よりも上方に位置し且つ駆動ユニット本体部側の電動操作用の操作部材２０ｂが挿通可能な穴や開口のようなものを、排水弁装置８の後方側に隣接した貯水タンク部６の後壁部６ｃの壁面に設けてもよい。
【００３８】
つぎに、図６〜図８に示すように、排水弁装置側の電動操作用の操作部材２０ａは、電動操作用のチューブ６８と、このチューブ６８内に摺動可能に挿入されて且つ比較的弾性に富んだ可撓性を有するステンレス等の金属製からなる電動操作用のワイヤ７０を備えている。
また、電動操作用のチューブ６８については、その排水弁装置側の先端部６８ａが排水弁装置８のケーシング８ａの上端部に固定され、中継ボックス側の先端部６８ｂが中継ボックス６４のケーシング６４ａ内の下端部に固定されている。
さらに、電動操作用のワイヤ７０は、その排水弁装置側の突起状の先端部７０ａが排水弁装置８の電動操作用のワイヤ連結部６０に摺動可能に連結されている一方、中継ボックス側の突起状の先端部７０ｂが中継ボックス６４のケーシング６４ａ内の長手方向に摺動可能に設けられた保持部材７２に連結されている。
【００３９】
つぎに、図９は、本発明の第１実施形態による水洗大便器装置の駆動ユニットの駆動ユニット本体部が固定部材に固定された状態を示す斜視図であり、図１０は、本発明の第１実施形態による水洗大便器装置の駆動ユニットのギアユニットにおける内部構造の概略図である。
図６〜図１０に示すように、駆動ユニット本体部側の電動操作用の操作部材２０ｂは、排水弁装置側の電動操作用の操作部材２０ａと同様に、電動操作用のチューブ７４と、このチューブ７４内に摺動可能に挿入されて且つ比較的弾性に富んだ可撓性を有するステンレス等の金属製からなる電動操作用のワイヤ７６を備えている。
また、図８及び図９に示すように、電動操作用のチューブ７４については、その駆動ユニット本体部側の先端部７４ａが駆動ユニット本体部１８のギアユニット７８のケーシング８０に固定され、中継ボックス側の先端部７４ｂが中継ボックス６４のケーシング６４ａ内の上端部に固定されている。
さらに、電動操作用のワイヤ７６については、その駆動ユニット側の突起状の先端部７６ａが、ギアユニット７８内に内蔵されているプーリ８２の外周付近の一部に連結されている一方、中継ボックス側の突起状の先端部７６ｂが中継ボックス６４のケーシング６４ａ内の長手方向に摺動可能に設けられた保持部材７２に連結されている。
【００４０】
つぎに、図６及び図７に示すように、例えば、排水弁装置８の排水弁体１２が排水口１０を閉止している状態（待機状態）から、手動操作ユニット３８の手動操作により排水弁体１２を開弁させる場合には、図６に大洗浄モード及び小洗浄モードのそれぞれの洗浄操作開始時における手動用操作レバー４６の回転方向をそれぞれ矢印Ｒ１，Ｒ２で示すと、手動用操作レバー４６を回転中心軸線Ａ１を中心に回転方向Ｒ１（以下「大洗浄モードの操作方向Ｒ１」）に回転させると、手動用回転軸４４が手動用操作レバー４６と一体的に回転し、このときの回転力が回転機構ユニット４８内の複数のギア（図示せず）を介してプーリ（図示せず）に伝達されるようになっている。
そして、回転機構ユニット４８内のプーリ（図示せず）が所定方向に回転すると、このプーリ（図示せず）の外周部にワイヤ５４が巻き付きながら移動してチューブ５２に対して摺動することにより、手動操作用のワイヤ５４が所定長さだけ引き上げられるようになっている。
また、図７に示すように、手動操作用のワイヤ５４が引き上げられると、このワイヤ５４の先端部５４ａが排水弁装置８の手動操作用のワイヤ連結部５８の下面に係合することにより、このワイヤ連結部５８と共に排水弁装置８の主軸部５６と排水弁体１２が、弁座６２に対して所定高さＨ１の位置まで開弁するようになっている。このとき、電動操作用のワイヤ７０，７４については一切引き上げられていないため、排水弁装置８の電動操作用のワイヤ連結部６０は、排水弁装置８の主軸部５６と排水弁体１２と共に上昇し、電動操作用のワイヤ６６に対しては上方に摺動するようになっている。
なお、手動操作ユニット３８の内部には、手動操作用のワイヤ５４が引き上げられて排水弁体１２が開弁した状態で使用者が手動用操作レバー４６から手を離すと、手動用操作レバー４６を元の待機状態の位置まで戻るように回転させるリターンスプリング（図示せず）が設けられている。
【００４１】
同様に、図６及び図７に示すように、手動用操作レバー４６を回転中心軸線Ａ１を中心に回転方向Ｒ２（以下「小洗浄モードの操作方向Ｒ２」）に回転させると、手動用回転軸４４が手動用操作レバー４６と一体的に回転し、このときの回転力が回転機構ユニット４８内の複数のギア（図示せず）を介してプーリ（図示せず）に伝達されるが、このとき、大洗浄モードのときに伝達に関与したギア（図示せず）とは異なるギア（図示せず）が伝達に関与するようになっている。これにより、手動用操作レバー４６を大洗浄モードの操作方向Ｒ１とは異なる小洗浄モードの操作方向Ｒ２に操作したとしても、回転機構ユニット４８内のプーリ（図示せず）は、大洗浄モードの場合と同一の方向に且つ大洗浄モードの場合よりも小さい回転角度で回転するようになっている。
そして、ワイヤ５４が大洗浄モードの場合よりも小さい所定長さだけ引き上げられ、図７に示すように、排水弁装置８の排水弁体１２が、弁座６２に対して大洗浄モードの場合の所定高さＨ１よりも低い所定高さＨ２（Ｈ２＜Ｈ１）の位置まで開弁するようになっている。
【００４２】
つぎに、図９〜図１３を参照して、本発明の第１実施形態による水洗大便器装置の自動洗浄用の駆動ユニットとその取付構造について、具体的に説明する。
図１１は、本発明の第１実施形態による水洗大便器装置の駆動ユニットを固定するための固定部材を示す斜視図であり、図１２は、本発明の第１実施形態による水洗大便器装置の駆動ユニットの分解斜視図であり、図１３は、本発明の第１実施形態による水洗大便器装置の駆動ユニットのアクチュエータの内部構造を示す斜視図である。
【００４３】
まず、図９〜図１１に示すように、駆動ユニット本体部１８を便器本体部４の取付部２２に固定する固定部材２４には、一対の固定ねじ８４のそれぞれが挿入されて取り付けられる一対の固定ねじ用の取付穴８６が形成されている。固定部材２４が便器本体部４の取付部２２に取り付けられる際に、各固定ねじ８４を固定部材２４の各取付穴８６に挿入した後に、便器本体部４の所定の取付部２２の一対のねじ穴（図示せず）に螺合させることにより、固定部材２４自体が便器本体部４の取付部２２に固定されるようになっている。
【００４４】
つぎに、図９、図１０、図１２及び図１３に示すように、駆動ユニット本体部１８は、外側ケーシング８８と、電動駆動源であるＤＣモータ９０等を内蔵すると共に外側ケーシング８８内に収納されるアクチュエータ１６と、このアクチュエータ１６を外側ケーシング８８に対して固定する固定ボルト９２と、外側ケーシング８８内に収納されてアクチュエータ１６の回転軸９４に連結されるギアユニット７８を備えている。
【００４５】
また、図９、図１１及び図１２に示すように、外側ケーシング８８の外側表面の一部には、その外側表面８８ａから外側に所定長さ突出した後、外側表面８８ａとほぼ平行に外側ケーシング８８の外周方向に所定長さ突出するようにフック部８８ｂが形成されている。
一方、固定部材２４には、外側ケーシング８８のフック部８８ｂを係止するための第１の係止穴９６と第２の係止穴９８がそれぞれ形成されており、外側ケーシング８８を固定部材２４に取り付ける際に、外側ケーシング８８のフック部８８ｂを第１の係止穴９６又は第２の係止穴９８のいずれか一方を選択して挿入した後、外側ケーシング８８をアクチュエータ１６の回転軸９４の回転中心軸線Ａ２を中心に所定角度回動することにより、外側ケーシング８８のフック部８８ｂが第１の係止穴９６又は第２の係止穴９８のいずれかに嵌まり込んで係止可能となっている。
【００４６】
なお、本実施形態では、図９に示すように、外側ケーシング８８のフック部８８ｂが第１の係止穴９６に係止されるような形態について説明するが、便器本体部４の取付部２２の形態、便器本体部や貯水タンク部の種類、あるいは、水洗大便器装置１の設置状況に応じて、外側ケーシング８８のフック部８８ｂが第２の係止穴９８に係止される選択してもよい。
すなわち、固定部材２４は、便器本体部４又は貯水タンク部６の形態や種類に応じて、駆動ユニット本体部１８について、電動操作用の操作部材２０の全長（排水弁装置側の電動操作用の操作部材２０ａ及び駆動ユニット本体部側の電動操作用の操作部材２０ｂの全長）のたるみが抑制されるような姿勢で便器本体部４の取付部２２に固定することができるようになっている。
【００４７】
また、図３、図４、図９、図１０及び図１２に示すように、駆動ユニット本体部１８の外側ケーシング８８の外側表面８８ａには、その内部にギアユニット７８が収容された状態で、駆動ユニット本体部側の電動操作用の操作部材２０ｂのみが外側ケーシング８８の外側に取り出されるように、外側ケーシング８８の開口端部８８ｃから長手方向に切り欠いた切欠き溝８８ｄが形成されている。
これにより、駆動ユニット本体部１８を固定部材２４を介して便器本体部４の取付部２２に取り付けた状態では、駆動ユニット本体部側の電動操作用の操作部材２０ｂについて、貯水タンク部６の後壁部６ｃの切欠き溝６６と外側ケーシング８８の切欠き溝８８ｄのそれぞれを通過した後、駆動ユニット本体部１８のギアユニット７８に接続される部分Ｐ（図１０及び図１２参照）が駆動ユニット本体部１８に対してほぼ垂直に接続されるようになっている。
【００４８】
さらに、図１３に示すように、アクチュエータ１６は、制御装置３２から延びる電線（図示せず）に接続されて水洗大便器装置１の周囲の外部電源から制御装置３２に供給される電力が電線（図示せず）を介して供給されるＤＣモータ９０と、このＤＣモータ９０の駆動により回転する複数のギア１００と、これらの複数のギア１００から伝達された回転駆動力を出力する出力ギア１０２と、この出力ギア１０２に対して同心軸上に一体的に連結されて出力ギア１０２からのトルクが伝達される回転軸９４と、出力ギア１０２の回転により弾性的に変形するように回転軸９４の外周側に同心軸上に取り付けられたリターンスプリング１０４を備えている。
例えば、制御装置３２からＤＣモータ９０に電力が供給されてＤＣモータ９０が回転すると、複数のギア１００を介して出力ギア１０２に伝達され、出力ギア１０２が所定の回転方向に回転するようになっている。そして、この出力ギア１０２の回転トルクが回転軸９４に伝達されて回転軸９４が出力ギア１０２と共に所定の回転方向に回転するようになっている。このとき、リターンスプリング１０４は、回転する出力ギア１０２に接触しているため、出力ギア１０２のトルクにより弾性的に変形しており、その後、ＤＣモータ９０の駆動が停止されると、リターンスプリング１０４の弾性的な復元力により出力ギア１０２が所定の回転方向に対して逆方向に回転し、回転軸９４についても出力ギア１０２と共に逆方向に回転するようになっている。
【００４９】
また、図１０及び図１２に示すように、ギアユニット７８のケーシング８０内には、アクチュエータ１６の回転軸９４に接続されている第１ギア１０６と、この第１ギア１０６に接続されている第２ギア１０８と、この第２ギア１０８に接続されているプーリ８２が内蔵されている。
例えば、図７に示す排水弁体１２が排水口１０を閉止している状態（待機状態）から、駆動ユニット１４を用いた電動操作により排水弁体１２を開弁させる場合、使用者が図１に示す指示装置４０の所定の操作ボタン４０ａを押すことにより便器洗浄操作を指示するか、或いは、人感センサ４２が使用者を検知すると、これらの信号が制御装置３２に送信され、制御装置３２からの指令により駆動ユニット１４のＤＣモータ９０が作動するようになっている。
そして、図１０、図１２及び図１３に示すように、アクチュエータ１６の回転軸９４が回転中心軸線Ａ２を中心に所定の回転方向に所定の回転数で回転すると、この回転駆動力がギアユニット７８の第１ギア１０６から第２ギア１０８を経てプーリ８２に伝達され、図１０に示すように、プーリ８２が回転中心軸線Ａ３を中心に所定の回転方向Ｒ３に所定の回転角度で回転するようになっている。これにより、電動操作用のワイヤ７６は、プーリ８２の回転に伴って、プーリ８２の外周部に巻き付きながらプーリ８２の回転接線方向に移動可能にプーリ８２の外周付近の一部に連結されている。
さらに、電動操作用のワイヤ７６がプーリ８２の回転接線方向に移動すると、図８に示す中継ボックス６４内で保持部材７２を介して電動操作用のワイヤ７６に接続されている電動操作用のワイヤ７０が、全体的に所定長さ引き上げられるようになっている。これにより、図７に示す排水弁体１２についても、電動操作用のワイヤ７０と共に所定長さ引き上げられて開弁した状態になるようになっている。このとき、図７に示す手動操作用のワイヤ５４については一切引き上げられていないため、排水弁装置８の手動操作用のワイヤ連結部５８は、排水弁装置８の主軸部５６と排水弁体１２と共に上昇し、手動操作用のワイヤ５４に対しては上方に摺動するようになっている。
【００５０】
また、駆動ユニット１４を用いた電動操作により排水弁体１２を開弁させる場合、大洗浄モードの場合には、排水弁装置８の主軸部５６と排水弁体１２が、弁座６２に対して所定高さＨ１の位置まで開弁するが、小洗浄モードの場合には、プーリ８２の回転角度が大洗浄モードの場合よりも小さくなるため、排水弁装置８の排水弁体１２が、弁座６２に対して大洗浄モードの場合の所定高さＨ１よりも低い所定高さＨ２（Ｈ２＜Ｈ１）の位置まで開弁するようになっている。そして、貯水タンク部６内の洗浄水が排水口１０から便器本体部４の導水路４ｆ（図４及び図５参照）に供給され、この洗浄水が便器本体部４のボウル部４ａ内に供給されて便器洗浄が行われるようになっている。
さらに、本実施形態では、手動操作ユニット３８による手動操作及び駆動ユニット１４による電動操作のそれぞれの操作により、それぞれ独立に排水弁装置８の排水弁体１２を引き上げて開弁させることができるようになっているが、開弁時に排水弁体１２を引き上げる量を大きく設定し、弁座６２に対する排水弁体１２の上昇高さ（ストローク）を高く設定する程、或いは排水弁体１２が開弁している時間を長く設定する程、排水弁装置８によって洗浄水タンク装置３４の貯水タンク部６の排水口１０から排水されて便器本体部４の導水路４ｆに供給される洗浄水量が多くなるようになっている。
【００５１】
なお、本実施形態では、自動洗浄用の駆動ユニット１４と手動操作ユニット３８の双方を採用した例について説明したが、洗浄水タンク装置３４を含む貯水タンク部６や便器本体部４に関する洗浄方式等の仕様、施工場所の給水圧等の設置環境、或いは、水洗大便器装置１の設置スペース内のレイアウト等の設置環境を含む施工状況等に応じて、自動洗浄用の駆動ユニット１４が不要となる場合には、駆動ユニット１４の排水弁装置側の電動操作用の操作部材２０ａを排水弁装置８から取り外し、中継ボックス６４、電動操作用の操作部材２０ａ，２０ｂと共に、駆動ユニット本体部１８を便器本体部４の取付部２２から取り外せばよい。
【００５２】
上述した本発明の第１実施形態による水洗大便器装置１によれば、便器本体部４上の後方側に設けられた貯水タンク部６内の排水弁装置８を駆動する自動洗浄用の駆動ユニット１４について、その駆動ユニット本体部１８を便器本体部４の背面側に設けられた取付部２２に取り付けた状態では、駆動ユニット本体部１８が貯水タンク部６の下方且つ便器本体部４の背面側に配置されると共に、排水弁装置８の鉛直方向下方の近傍に配置されるため、駆動ユニット部１４の細長状の電動操作用の操作部材２０（２０ａ，２０ｂ）の全長のたるみを抑制することができる。
したがって、駆動ユニット部１４の電動操作用の操作部材２０（２０ａ，２０ｂ）の全長が貯水タンク部６内の排水弁装置８と駆動ユニット本体部１８との間で長すぎることによって、操作部材２０が不必要に曲げられたりすることを抑制することができるため、駆動ユニット本体部１８のアクチュエータ１６の駆動により電動操作用の操作部材２０が排水弁装置８の排水弁体１２の開閉動作を正確に操作することができ、その操作量のばらつきを抑制することができる。よって、排水弁装置８の排水弁体１２の開閉動作を適切に行うことができる水洗大便器装置１及び自動洗浄用の駆動ユニット１４を提供することができる。
【００５３】
また、本実施形態による水洗大便器装置１によれば、便器本体部４又は貯水タンク部６の種類に応じて駆動ユニット本体部１８を電動操作用の操作部材２０（２０ａ，２０ｂ）の全長のたるみが抑制されるような姿勢で便器本体部４の取付部２２に固定する固定部材２４を有することにより、この固定部材２４を介して駆動ユニット本体部１８を電動操作用の操作部材２０（２０ａ，２０ｂ）の全長のたるみが抑制されるような姿勢で便器本体部４の取付部２２に確実に固定することができる。
したがって、固定部材２４に固定された状態の駆動ユニット本体部１８のアクチュエータ１６による駆動力を電動操作用の操作部材２０に効率よく且つ正確に伝達することができるため、排水弁装置８の排水弁体１２を排水口１０に対して精度よく移動させることができ、排水弁体１２の開閉動作を適切に行うことができる。
【００５４】
さらに、本実施形態による水洗大便器装置１によれば、貯水タンク部６が、排水弁装置８の後方側に隣接して後壁部６ｃを形成し、この後壁部６ｃにおける洗浄水の止水水位ＷＬ１よりも上方には、駆動ユニット本体部側の電動操作用の操作部材２０ｂが貯水タンク部６の内外に切欠き溝６６が形成されていることにより、排水弁装置８と駆動ユニット本体部１８との間の電動操作用の操作部材２０（２０ａ，２０ｂ）について、操作性を確保しつつ、全長を短く設定することができるため、電動操作用の操作部材２０（２０ａ，２０ｂ）の全長が排水弁装置８と駆動ユニット本体部１８との間で長すぎることによって、電動操作用の操作部材２０（２０ａ，２０ｂ）が不必要に曲げられたりすることを抑制することができる。
したがって、駆動ユニット１４のアクチュエータ１６の駆動時に電動操作用の操作部材２０（２０ａ，２０ｂ）が排水弁装置８の排水弁体１２の開閉動作を操作するときの操作量のばらつきを抑制することができ、排水弁体１２の開閉動作を適切に行うことができる。
【００５５】
また、本実施形態による水洗大便器装置１によれば、駆動ユニット本体部側の電動操作用の操作部材２０ｂについて、貯水タンク部６の後壁部６ｃの切欠き溝６６を通過した後に、駆動ユニット本体部１８の外側ケーシング８８の切欠き溝８８ｄを通過してギアユニット７８に接続される部分Ｐが駆動ユニット本体部１８に対してほぼ垂直に接続されていることにより、電動操作用の操作部材２０（２０ａ，２０ｂ）の全長を短くすることができるため、電動操作用の操作部材２０（２０ａ，２０ｂ）の全長が排水弁装置８と駆動ユニット本体部１８との間で長すぎることによって、電動操作用の操作部材２０（２０ａ，２０ｂ）が不必要に曲げられたりすることを抑制することができる。
したがって、駆動ユニット１４のアクチュエータ１６の駆動時に電動操作用の操作部材２０（２０ａ，２０ｂ）が排水弁装置８の排水弁体１２の開閉動作を操作するときの操作量のばらつきを抑制することができ、排水弁体１２の開閉動作を適切に行うことができる。
【００５６】
さらに、本実施形態による水洗大便器装置１によれば、電動操作用の操作部材２０（２０ａ，２０ｂ）について、一端が排水弁装置８に接続される排水弁装置側の電動操作用の操作部材２０ａと、一端が駆動ユニット本体部１８に接続される駆動ユニット本体部側の電動操作用の操作部材２０ｂとを備えており、駆動ユニット部１４が、更に、電動操作用の操作部材２０ａ，２０ｂのそれぞれの長さを使用状況に応じて調節した状態で排水弁装置側の電動操作用の操作部材２０ａの他端と駆動ユニット本体部側の電動操作用の操作部材２０ｂの他端とを接続する中継ボックス６４を備えていることにより、電動操作用の操作部材２０（２０ａ，２０ｂ）の全長を使用状況に応じて適宜短くすることができるため、電動操作用の操作部材２０（２０ａ，２０ｂ）の全長が排水弁装置８と駆動ユニット本体部１８との間で長すぎることによって、電動操作用の操作部材２０（２０ａ，２０ｂ）が不必要に曲げられたりすることを抑制することができる。
したがって、駆動ユニット１４のアクチュエータ１６の駆動時に電動操作用の操作部材２０（２０ａ，２０ｂ）が排水弁装置８の排水弁体１２の開閉動作を操作するときの操作量のばらつきを抑制することができ、排水弁体１２の開閉動作を適切に行うことができる。
なお、中継ボックス６４による操作部材２０（２０ａ，２０ｂ）の接続箇所は工場出荷時に予め定められておいても良いし、施工現場で施工者が適宜現場の状況に応じて決めても良い。
【００５７】
また、本実施形態による水洗大便器装置１によれば、排水弁装置側の電動操作用の操作部材２０ａが、電動操作用のチューブ６８と、このチューブ６８内に摺動可能に挿入されて且つ比較的弾性に富んだ可撓性を有するステンレス等の金属製からなる電動操作用のワイヤ７０を備えており、駆動ユニット本体部側の電動操作用の操作部材２０ｂが、電動操作用のチューブ７４と、このチューブ７４内に摺動可能に挿入されて且つ比較的弾性に富んだ可撓性を有するステンレス等の金属製からなる電動操作用のワイヤ７６を備えていることにより、各電動操作用の操作部材２０ａ，２０ｂの各ワイヤ７０，７６が、各チューブ６８，７４により保護されているため、各ワイヤ７０，７６の耐久性を向上させることができる。
さらに、各電動操作用の操作部材２０ａ，２０ｂの全長のたるみを抑制することにより、駆動ユニット１４のアクチュエータ１６及びギアユニット７８が駆動して電動操作用の操作部材２０（２０ａ，２０ｂ）の各ワイヤ７０，７６が各チューブ６８，７４に対して摺動した際に、各チューブ６８，７４と各ワイヤ７０，７６との間の摺動抵抗を小さくすることができるため、電動操作用の操作部材２０（２０ａ，２０ｂ）の各ワイヤ７０，７６の摺動時に、排水弁体１２を排水口１０に対してより精度よく移動させることができ、排水弁体１２の開閉動作をより適切に行うことができる。
【００５８】
さらに、本実施形態による水洗大便器装置１によれば、駆動ユニット本体部１８のアクチュエータ１６が、ＤＣモータ９０と、このＤＣモータ９０の駆動により回転する複数のギア１００，１０２を備えていると共に、駆動ユニット本体部１８のギアユニット７８がアクチュエータ１６の回転軸９４に接続されている第１ギア１０６と、この第１ギア１０６に接続されている第２ギア１０８と、この第２ギア１０８に接続されているプーリ８２を備えており、電動操作用のワイヤ７６が、アクチュエータ１６の駆動時にギアユニット７８のプーリ８２の回転接線方向に移動可能に、電動操作用のワイヤ７６の駆動ユニット側の突起状の先端部７６ａがプーリ８２の外周付近の一部に連結されて接続されていることにより、各電動操作用の操作部材２０ａ，２０ｂの各ワイヤ７０，７６の全長を短くすることができるため、各ワイヤ７０，７６の全長が排水弁装置８と駆動ユニット本体部１８との間で長すぎることによって、各ワイヤ７０，７６が不必要に曲げられたりすることを抑制することができる。
したがって、駆動ユニット１４のアクチュエータ１６の駆動時に電動操作用の操作部材２０（２０ａ，２０ｂ）が排水弁装置８の排水弁体１２の開閉動作を操作するときの操作量のばらつきを抑制することができると共に、各電動操作用の操作部材２０ａ，２０ｂの各ワイヤ７０，７６が各チューブ６８，７４に対して摺動した際に、各チューブ６８，７４と各ワイヤ７０，７６との間の摺動抵抗を小さくすることができるため、各電動操作用の操作部材２０ａ，２０ｂの各ワイヤ７０，７６の摺動時に、排水弁体１２を排水口１０に対してより精度よく移動させることができ、排水弁体１２の開閉動作をより適切に行うことができる。
【００５９】
また、本実施形態による水洗大便器装置１によれば、貯水タンク部６が便器本体部４上の後方側に一体的に形成されている、いわゆる、ワンピース型の水洗大便器２に対しても、便器本体部４が、貯水タンク部６の下方に設けられて電動操作用の操作部材２０（２０ａ，２０ｂ）の全長のたるみが抑制されるように駆動ユニット本体部１８が取り付けられる取付部２２を備えており、駆動ユニット本体部１８が、この取付部２２に取り付けられた状態で排水弁装置８の鉛直方向下方の近傍に配置されているため、電動操作用の操作部材２０（２０ａ，２０ｂ）の全長が排水弁装置８と駆動ユニット本体部１８との間で長すぎることによって、電動操作用の操作部材２０（２０ａ，２０ｂ）が不必要に曲げられたりすることを抑制することができる。
したがって、駆動ユニット１４のアクチュエータ１６の駆動時に電動操作用の操作部材２０（２０ａ，２０ｂ）の各ワイヤ７０，７６が排水弁装置８の排水弁体１２の開閉動作を操作するときの操作量のばらつきを抑制することができ、排水弁体１２の開閉動作を適切に行うことができる。
【００６０】
さらに、本実施形態による水洗大便器装置１によれば、貯水タンク部６の上下方向の縦幅寸法Ｌ１が左右方向の横幅寸法Ｌ２に対して短くなるように設定されて、比較的貯水タンク部６内のスペースが限られている、いわゆる、ローシルエットの貯水タンク部６に対しても、便器本体部４が、貯水タンク部６の下方に設けられて電動操作用の操作部材２０（２０ａ，２０ｂ）の全長のたるみが抑制されるように駆動ユニット本体部１８が取り付けられる取付部２２を備えており、駆動ユニット本体部１８が、この取付部２２に取り付けられた状態で排水弁装置８の鉛直方向下方の近傍に配置されているため、操作部材の全長が排水弁装置部と駆動ユニット本体部との間で長すぎることによって、電動操作用の操作部材２０（２０ａ，２０ｂ）が不必要に曲げられたりすることを抑制することができる。
したがって、駆動ユニット１４のアクチュエータ１６の駆動時に電動操作用の操作部材２０（２０ａ，２０ｂ）の各ワイヤ７０，７６が排水弁装置８の排水弁体１２の開閉動作を操作するときの操作量のばらつきを抑制することができ、排水弁体１２の開閉動作を適切に行うことができる。
【００６１】
つぎに、図１４〜図１６を参照して、本発明の第２実施形態による水洗大便器装置について説明する。
図１４は、本発明の第２実施形態による水洗大便器装置の便器本体部における駆動ユニット取付部、及び、この駆動ユニット取付部に駆動ユニットの本体部を固定するための固定部材の部分を拡大した部分拡大斜視図である。また、図１５は、本発明の第２実施形態による水洗大便器装置において、便器本体部の駆動ユニット取付部に駆動ユニットの駆動ユニット本体部が固定部材を介して固定された状態を示す部分拡大斜視図である。さらに、図１６は、本発明の第２実施形態による水洗大便器装置の駆動ユニットの駆動ユニット本体部が固定部材に固定された状態を示す斜視図である。
なお、図１４〜図１６に示す本発明の第２実施形態による水洗大便器装置において、図１〜図１３に示す本発明の第１実施形態による水洗大便器装置の部分と同一部分については同一の符号を付し、これらの説明は省略する。
【００６２】
図１４〜図１６に示すように、本発明の第２実施形態による水洗大便器装置２００においては、駆動ユニット１４の駆動ユニット本体部１８が固定部材２４を介してワンピース型の水洗大便器２０２の便器本体部２０４の背面側の取付部２２２に着脱可能に取り付けられる点で、上述した本発明の第１実施形態による水洗大便器装置１と共通している。
しかしながら、本発明の第２実施形態による水洗大便器装置２００においては、便器本体部２０４の背面側部分が袴形状に形成されておらず、空洞部Ｃが形成されていない点で、本発明の第１実施形態による水洗大便器装置１の便器本体部４と異なっている。
さらに、本発明の第２実施形態による水洗大便器装置２００においては、駆動ユニット本体部１８が固定部材２４を介して便器本体部２０４の背面側の取付部２２２に取り付けられた状態の駆動ユニット本体部１８及び固定部材２４の姿勢が、それぞれの長手方向が便器本体部４の上下方向に延びるように配置されている点について、本発明の第１実施形態による水洗大便器装置１の駆動ユニット本体部１８及び固定部材２４の姿勢が、それぞれの長手方向が便器本体部４の前後方向に延びるように配置されている点と異なっている。
【００６３】
すなわち、図１４に示すように、本発明の第２実施形態による水洗大便器装置２００では、貯水タンク部２０６の底部６ａ且つ後壁部２０６ｃの下方に形成される便器本体部２０４の背面側部分において、この背面側部分を背面側から見て左右方向の中央部分に、貯水タンク部２０６の底部２０６ａから下方に延びるようにリブ２０４ｄが形成されており、このリブ２０４ｄには、駆動ユニット本体部１８が取り付けられる取付部２２２が設けられている。
また、固定部材２４については、その長手方向が便器本体部４の上下方向に延びるような姿勢で、一対の固定ねじ８４、複数のワッシャ２８４ａ、及び一対のナット２８４ｂが固定部材２４の一対の取付穴８６と便器本体部２０４のリブ２０４ｄの取付部２２２の一対の取付穴（図示せず）のそれぞれに取り付けられることにより、便器本体部２０４のリブ２０４ｄの取付部２２２に固定部材２４が固定されるようになっている。
【００６４】
さらに、本発明の第２実施形態による水洗大便器装置２００では、駆動ユニット本体部１８を固定部材２４に固定する際には、駆動ユニット本体部１８の外側ケーシング８８のフック部８８ｂについて、固定部材２４の第２の係止穴９８を選択して挿入した後、外側ケーシング８８をアクチュエータ１６の回転軸９４の回転中心軸線Ａ２を中心に所定角度回動することにより、外側ケーシング８８のフック部８８ｂが第２の係止穴９８に嵌り込んで係止されるようになっている。
【００６５】
また、駆動ユニット本体部１８が固定部材２４を介して便器本体部２０４の取付部２２２に取り付けられた状態では、駆動ユニット本体部側の電動操作用の操作部材２０ｂについて、貯水タンク部２０６の後壁部２０６ｃの切欠き溝６６と外側ケーシング８８の切欠き溝８８ｄのそれぞれを通過した後、駆動ユニット本体部１８のギアユニット７８に接続される部分Ｐ（図１５及び図１６参照）が駆動ユニット本体部１８に対してほぼ垂直に接続されるようになっている。さらに、電動操作用の操作部材２０ｂの電動操作用のワイヤ７６は、プーリ８２の回転に伴って、プーリ８２の外周部に巻き付きながらプーリ８２の回転接線方向に移動可能にプーリ８２の外周付近の一部に連結されている。
【００６６】
上述した本発明の第２実施形態による水洗大便器装置２００によれば、便器本体部２０４上の後方側に設けられた貯水タンク部２０６内の排水弁装置８を駆動する自動洗浄用の駆動ユニット１４について、その駆動ユニット本体部１８を便器本体部２０４の背面側のリブ２０４ｄに設けられた取付部２２２に取り付けた状態では、駆動ユニット本体部１８が貯水タンク部６の下方且つ便器本体部４の背面側に配置されると共に、排水弁装置８の鉛直方向下方の近傍に配置されるため、駆動ユニット部１４の細長状の電動操作用の操作部材２０（２０ａ，２０ｂ）の全長のたるみを抑制することができる。
また、便器本体部２０４又は貯水タンク部２０６の種類に応じて駆動ユニット本体部１８を電動操作用の操作部材２０（２０ａ，２０ｂ）の全長のたるみが抑制されるような姿勢で便器本体部２０４の取付部２２２に固定する固定部材２４を有することにより、この固定部材２４を介して駆動ユニット本体部１８を電動操作用の操作部材２０（２０ａ，２０ｂ）の全長のたるみが抑制されるような姿勢で便器本体部４の取付部２２２に確実に固定することができる。
さらに、駆動ユニット本体部側の電動操作用の操作部材２０ｂについて、貯水タンク部２０６の後壁部２０６ｃの切欠き溝６６を通過した後に、駆動ユニット本体部１８の外側ケーシング８８の切欠き溝８８ｄを通過してギアユニット７８に接続される部分Ｐが駆動ユニット本体部１８に対してほぼ垂直に接続されることにより、電動操作用の操作部材２０（２０ａ，２０ｂ）の全長を短くすることができるため、電動操作用の操作部材２０（２０ａ，２０ｂ）の全長が排水弁装置８と駆動ユニット本体部１８との間で長すぎることによって、電動操作用の操作部材２０（２０ａ，２０ｂ）が不必要に曲げられたりすることを抑制することができる。
また、電動操作用のワイヤ７６が、アクチュエータ１６の駆動時にギアユニット７８のプーリ８２の回転接線方向に移動可能に、電動操作用のワイヤ７６の駆動ユニット側の突起状の先端部７６ａがプーリ８２の外周付近の一部に連結されて接続されていることにより、各電動操作用の操作部材２０ａ，２０ｂの各ワイヤ７０，７６の全長を短くすることができるため、各ワイヤ７０，７６の全長が排水弁装置８と駆動ユニット本体部１８との間で長すぎることによって、各ワイヤ７０，７６が不必要に曲げられたりすることを抑制することができる。
これらの結果、駆動ユニット本体部１８のアクチュエータ１６の駆動により電動操作用の操作部材２０が排水弁装置８の排水弁体１２の開閉動作を正確に操作することができ、その操作量のばらつきを抑制することができる。よって、排水弁装置８の排水弁体１２の開閉動作を適切に行うことができる水洗大便器装置２００及び自動洗浄用の駆動ユニット１４を提供することができる。
【００６７】
なお、上述した本発明の第１実施形態及び第２実施形態による水洗大便器装置１，２０００においては、ワンピース型の水洗大便器２，２０２の便器本体部４，２０４の背面側に、駆動ユニット１４の駆動ユニット本体部１８が固定部材２４を介して取り付けられる取付部２２，２２２を設けた形態について説明したが、これらの形態に限られず、駆動ユニット本体部の取付部については、貯水タンク部の底面側に設け、操作部材の全長のたるみが抑制されるように駆動ユニット本体部が排水弁装置の鉛直方向下方又はその近傍に配置されるようにしてもよい。
【符号の説明】
【００６８】
１    水洗大便器装置
２    ワンピース型の水洗大便器
４    便器本体部
４ａ  ボウル部
４ｂ  脚部
４ｃ  脚部
４ｄ  天井部
４ｅ  排水トラップ管路部
４ｆ  導水路
６    貯水タンク部（貯水部）
６ａ  貯水タンク部の底部
６ｂ  貯水タンク部の蓋体
６ｃ  貯水タンク部の後壁部（貯水部の後壁部）
８    排水弁装置（直動式の排水弁装置部）
８ａ  ケーシング
１０    排水口
１２    排水弁体（弁体）
１４    自動洗浄用の駆動ユニット（駆動ユニット部）
１６    アクチュエータ（電動駆動部）
１６ａ  ケーシング
１８    駆動ユニット本体部
２０    電動操作用の操作部材
２０ａ  排水弁装置側の電動操作用の操作部材（第１の操作部材）
２０ｂ  駆動ユニット本体部側の電動操作用の操作部材（第２の操作部材）
２２    取付部
２４    固定部材
２６    排水ソケット
２８    便座
３０    局部洗浄装置
３２    制御装置
３４    洗浄水タンク装置
３６    給水装置
３６ａ  給水管
３６ｂ  給水バルブ
３６ｃ  フロート
３８    手動操作ユニット
４０    指示装置
４０ａ  操作ボタン
４２    人感センサ
４４    手動用回転軸
４６    手動用操作レバー
４８    回転機構ユニット
４８ａ  ケーシング
５０    手動操作用の操作部材
５２    手動操作用のチューブ
５２ａ  手動操作用のチューブの排水弁装置側の先端部
５４    手動操作用のワイヤ
５４ａ  手動操作用のワイヤの排水弁装置側の突起状の先端部
５６    排水弁装置の主軸部
５８    排水弁装置の手動操作用のワイヤ連結部
６０    排水弁装置の電動操作用のワイヤ連結部
６２    弁座
６４    中継ボックス（接続手段）
６４ａ  ケーシング
６４ｂ  ケーシングの開口端面
６４ｃ  蓋体
６６    切欠き溝
６８    電動操作用のチューブ（チューブ部）
６８ａ  電動操作用のチューブの排水弁装置側の先端部
６８ｂ  電動操作用のチューブの中継ボックス側の先端部
７０    電動操作用のワイヤ（ワイヤ部）
７０ａ  電動操作用のワイヤの排水弁装置側の突起状の先端部
７０ｂ  電動操作用のワイヤの中継ボックス側の突起状の先端部
７２    保持部材
７４    電動操作用のチューブ（チューブ部）
７４ａ  電動操作用のチューブの排水弁装置側の先端部
７４ｂ  電動操作用のチューブの中継ボックス側の先端部
７６    電動操作用のワイヤ（ワイヤ部）
７６ａ  電動操作用のワイヤの駆動ユニット本体部側の突起状の先端部
７６ｂ  電動操作用のワイヤの中継ボックス側の突起状の先端部
７８    ギアユニット（回転機構部）
８０    ケーシング
８２    プーリ（回転機構部）
８４    固定ねじ
８６    固定ねじ用の取付穴
８８    駆動ユニット本体部の外側ケーシング
８８ａ  外側ケーシングの外側表面
８８ｂ  外側ケーシングのフック部
８８ｃ  外側ケーシングの開口端部
８８ｄ  外側ケーシングの切欠き溝
９０    ＤＣモータ（電動駆動源）
９２    固定ボルト
９４    アクチュエータの回転軸
９６    第１の係止穴
９８    第２の係止穴
１００    ギア（回転機構部）
１０２    出力ギア（回転機構部）
１０４    リターンスプリング
１０６    第１ギア（回転機構部）
１０８    第２ギア（回転機構部）
２００    水洗大便器装置
２０２    ワンピース型の水洗大便器
２０４    便器本体部
２０４ｄ  リブ
２０６    貯水タンク部
２０６ａ  貯水タンク部の底部
２０６ｃ  貯水タンク部の後壁部
２２２    取付部
２８４ａ  ワッシャ
２８４ｂ  ナット
Ａ１    回転中心軸線
Ａ２    回転中心軸線
Ａ３    回転中心軸線
Ｃ      空洞部
Ｈ１    大洗浄モードによる洗浄開始時の排水弁体の弁座に対する高さ
Ｈ２    小洗浄モードによる洗浄開始時の排水弁体の弁座に対する高さ
Ｐ      電動操作用の操作部材の駆動ユニット本体部に接続される部分
Ｒ１    手動用操作レバーの回転方向
Ｒ２    手動用操作レバーの回転方向
Ｒ３    ギアユニットのプーリの回転方向
Ｗ      トイレ室内の壁面
ＷＬ１  止水水位
【図１】
0006443616.tif 000002
【図２】
0006443616.tif 000003
【図３】
0006443616.tif 000004
【図４】
0006443616.tif 000005
【図５】
0006443616.tif 000006
【図６】
0006443616.tif 000007
【図７】
0006443616.tif 000008
【図８】
0006443616.tif 000009
【図９】
0006443616.tif 000010
【図１０】
0006443616.tif 000011
【図１１】
0006443616.tif 000012
【図１２】
0006443616.tif 000013
【図１３】
0006443616.tif 000014
【図１４】
0006443616.tif 000015
【図１５】
0006443616.tif 000016
【図１６】
0006443616.tif 000017